(57)【特許請求の範囲】
【請求項１】
噴出口を有し、供給された流体を前記噴出口から噴出する流体噴出ノズルであって、前記流体噴出ノズルは、
流体が流入する流入室と、
前記流入室に組み込まれ、前記噴出口を備えた先端部位と、前記流入室に位置して、前記流入室内に流入した流体の力を受ける室内部位と、前記流入室内の流体を前記噴出口に導く管路と、を有し、前記流入室内で回転可能とされた、噴出部と、
前記室内部位に連結されて回転する回転子と、該回転子の周囲に固定して設けられた固定子と、を有し、該回転子と該固定子のいずれかを、磁石で構成し、他方を電機子で構成した発電部と、
前記電機子に電気的に接続された閉回路と、
によって構成され、
前記流入室内に流入した流体の力を、前記室内部位に及ぼして、前記噴出部を回転させること、を特徴とする流体噴出ノズル。
【請求項２】
請求項１記載の流体噴出ノズルであって、前記発電部は、前記回転子と、前記固定子が、前記回転周方向に複数の磁極を有する様に構成したことを、特徴とする流体噴出ノズル。
【請求項３】
請求項１まはた請求項２記載の流体噴出ノズルであって、前記閉回路の途中に、インピーダンス値を変更する変更手段を設けたことを、特徴とする流体噴出ノズル。
【請求項４】
請求項１ないし請求項３いずれか記載の流体噴出ノズルであって、前記噴出部は、前記先端部の前記噴出口に到る前記管路を、前記噴出部の回転軸に対して傾斜して有することを、特徴とする流体噴出ノズル。
【請求項５】
請求項１ないし請求項３いずれか記載の流体噴出ノズルであって、前記噴出部は、前記先端部の前記噴出口に到る前記管路を、前記噴出部の回転軸に対して偏心して有することを、特徴とする流体噴出ノズル。
【請求項６】
請求項１ないし請求項５いずれか記載の流体噴出ノズルであって、前記噴出部と前記回転子が一体で構成されていることを、特徴とする流体噴出ノズル。
【請求項７】
請求項１ないし請求項６いずれか記載の流体噴出ノズルであって、前記室内部位は、前記流入室内の流れを受ける羽根を有することを、特徴とする流体噴出ノズル。
【請求項８】
請求項１ないし請求項７いずれか記載の流体噴出ノズルであって、前記流入室内に、前記噴出部もしくは前記回転子の回転を支持する支持部を設けて、前記回転を前記流入室の中心軸周りの自転としたことを、特徴とする流体噴出ノズル。
【請求項９】
請求項６記載の流体噴出ノズルであって、前記流入室への流体の流入を、前記流入室の周壁において前記流入室に偏心して流入させて、前記室内部位まわりの旋回流を起すように設け、前記室内部位が、前記流入室の中心軸に対して傾斜した姿勢で、前記中心軸周りに公転可能に構成ことを、特徴とする流体噴出ノズル。
【請求項１０】
請求項９記載の流体噴出ノズルであって、前記先端部位を把持する、可撓性を有する把持体を有し、該把持体で前記流入室を閉鎖することを、特徴とする流体噴出ノズル。
【請求項１１】
請求項９または請求項１０記載の流体噴出ノズルであって、前記噴出部に当接し、前記噴出部の傾斜角度を規制するガイド部を設けたことを、特徴とする流体噴出ノズル。
【請求項１２】
請求項１ないし請求項１１いずれか記載の流体噴出ノズルと、前記発電部に電気的に接続された発光部と、を有することを特徴とする流体噴出装置。
【請求項１３】
請求項１２記載の流体噴出ノズルであって、前記発光部を複数色ＬＥＤで構成すると共に、前記発光部に電気的に接続され、噴出する流体の温度を検知する温度検知部を設け、該温度検知部で検出した信号によって、前記複数色ＬＥＤの発光色を制御する制御部を設けたことを特徴とする、流体噴出装置。
【請求項１４】
請求項１ないし請求項１３いずれか記載の流体噴出ノズルと、前記発電部の出力信号により、前記噴出口より噴出する流体の流れの状態を検出する、流れ検出部と、該流れ情報を表示する表示部と、を有することを特徴とする流体噴出装置。
【請求項１５】
人体を検出する検出部と、吐水する洗浄水の流路の開閉を行う開閉弁と、を有する自動水栓であって、請求項１ないし請求項１４いずれか記載の流体噴出ノズルを有し、前記噴出口より人体に向けて洗浄水を吐水するように、前記自動水栓内に組み込むとともに、前記発電部で発生した電力を充電する充電部を備えたことを、特徴とする自動水栓。
【請求項１６】
給水された洗浄水を人体に向けて吐水するシャワー装置であって、請求項１ないし請求項１４いずれか記載の流体噴出ノズルを有し、前記噴出口から人体に向けて洗浄水を吐水するようシャワーヘッドに組み込んだことを特徴とする、シャワー装置。
【請求項１７】
便器後部に設けられ、人体局部に向かって洗浄水を吐水して局部の洗浄を行う人体局部洗浄装置であって、請求項１ないし請求項１４いずれか記載の流体噴出ノズルを有し、前記噴出口より洗浄水を人体局部に向かって噴出することを特徴とする人体局部洗浄装置。
【請求項１８】
高速の流体を噴出して、人体の乾燥を行う乾燥装置であって、請求項１ないし請求項１４いずれか記載の流体噴出ノズルと、流体を発生させる流体発生装置と、前記流体を加熱する加熱手段と、を有し、前記流体発生装置で発生した流体を、前記加熱手段で加熱して、前記噴出口より噴出することを、特徴とする乾燥装置。
【発明の詳細な説明】
【０００１】
【発明の属する技術分野】
本発明は、流れによって回転しながら流体を噴出する噴出部を備えた、噴出ノズルに関する。
【０００２】
【従来の技術】
従来の技術を吐水装置を例にとって、説明すると、例えば、水流を利用して羽根車を回転し、該羽根車と一体に回転する吐水口から吐水を行うことで、吐水を回転させるものとして、特開２０００−８４５２で示された様な吐水装置が知られている。
この発明では、吐水の回転速度を高めたり、吐水の回転数を高速から低速まで可変にする為になされたものであり、水路の途中に設けた圧力調整バルブや流量調整バルブによって、水車に与える水の運動エネルギーを調整して、水車の回転数を変更し、該水車に設けた吐水口より吐水される洗浄水の回転数を変更しようとするものであった。
【０００３】
【発明が解決しようとする課題】
しかしながら、この様な構成では、吐水の回転数を高速から低速に自由に設定しようとしたり、吐水の流量や勢いを変えずに、吐水の回転数のみを変更して、刺激感を変えようとした場合に、
▲１▼吐水の回転数と吐水量を独立して制御する為に、流量調整バルブと、圧力調整バルブやポンプといった複数の装置を用いる必要となり、装置が複雑化、大型化、高コスト化といった問題や、ポンプが必要な為、電源を確保する為に、配線を確保したり、水まわり環境下での漏電対策や、ポンプの信頼性が問題となったり、
▲２▼流量調整バルブを用いて、水路を直接開閉する為に開閉を行う可動部のシールが必要となり、シール部の信頼性が問題となったり、
▲３▼圧力調整バルブを用いる為に、給水圧力が必要となり、低給水圧での使用が出来ないといった、問題があった。
【０００４】
本発明の流体噴出ノズルは、このような課題を解決する為になされたものであり、本発明の目的は、ポンプや流量調整バルブや圧力調整バルブといった大掛かりな装置を用いることなく、吐水や噴出する流体の回転数を自由に設定したり、変更可能とし、且つ信頼性の高い流体噴出ノズルを提供するものであって、さらには、給水圧や供給する流体の圧力や、電源確保や漏電対策といった問題が無く、使用環境に左右されない流体噴出ノズルを提案するものである。
【０００５】
【課題を解決するための手段および作用・効果】
上記目的を達成するために請求項１は、噴出口を有し、供給された流体を前記噴出口から噴出する流体噴出ノズルであって、前記流体噴出ノズルは、
▲１▼流体が流入する流入室と、
▲２▼前記流入室に組み込まれ、前記噴出口を備えた先端部位と、前記流入室に位置して、前記流入室内に流入した流体の力を受ける室内部位と、前記流入室内の流体を前記噴出口に導く管路と、を有し、前記流入室内で回転可能とされた、噴出部と、
▲３▼前記室内部位に連結されて回転する回転子と、該回転子の周囲に固定して設けられた固定子と、を有し、該回転子と該固定子のいずれかを、磁石で構成し、他方を電機子で構成した発電部と、
▲４▼前記電機子に電気的に接続された閉回路と、
によって構成され、前記流入室内に流入した流体の力を、前記室内部位に及ぼして、前記噴出部を回転させることを、特徴としている。
【０００６】
上記した構成を有する本発明の流体噴出ノズルは、前記流入室に流体を導いて、この流体によって前記室内部位を回転させている。
従って、この室内部位を有する噴出部も室内部位と一緒に回転し、前記管路を経て前記噴出口へと供給された流入室内の流体も、この回転に合わせて回転して噴出される。
【０００７】
又、前記回転子は、前記室内部位に連結されているので、前記回転子も、前記噴出部と一緒に回転する。
又、前記回転子の周囲に固定して設けられた固定子と、前記回転子は、一方が磁石で他方が電機子で構成されているので、前記磁石の周りに発生した磁界の中に、前記電機子が設けられている。又、前記電機子には、閉回路が接続されている。
【０００８】
従って、前記回転子が回転すると、前記磁石と前記電機子が相対的に回転するので、電機子内の磁束に変化が生じる。又、この磁束の変化によって、前記閉回路が接続された前記電機子には、前記磁束変化を妨げる向きに起電力が発生し、前記閉回路に電流が流れる。
従って、この起電力によって、前記電機子と前記磁石の相対的な回転を妨げる向きに、電磁力が発生し、前記相対的な回転が制限される。よって、この様に回転子の回転が制限されると、前記回転子が連結された噴出部の回転も制限され、前記噴出部に設けた噴出口から噴出される流体の回転も、制限される。
【０００９】
従って、この様な構成の流体噴出ノズルでは、前記発電部に用いる磁石と電機子に、さまざまな組合せを用いて、前記噴出部および噴出する流体の回転を自由に設定でき、噴出する流体の流量や勢いを変えずに、噴出流体の回転数のみを変更することが出来る。
又、この組み合わせとしては、例えば、磁石と電機子の配置や、距離や、個数といった相対的なものや、
磁石の、種類や、磁束の強さや、磁極の数であったり、電機子を構成するコイルの、巻数や、巻き線の太さであったり、コイルに挿入する鉄心の、材質や、形状といったものが考えられるし、さらには前記閉回路の抵抗やインピーダンスといったものでも良い。
【００１０】
又、この様に、噴出する流体の回転数を自由に設定するに当っても、本発明の流体噴出ノズルでは、ポンプや流量調整バルブや圧力調整バルブといった大掛かりな装置を用いることなく、吐水や噴出する流体の回転数を自由に設定することが出来る。
又、流体の通路を開閉したりする必要がなく、磁気を使って非接触で、自由に回転を設定できるので、信頼性の高い流体噴出ノズルを提供することが出来る。
さらには、給水圧や供給する流体の圧力や、電源確保や漏電対策といった問題が無く、使用環境に左右されずに用いることが出来る。
【００１１】
ここで、前記閉回路には、前記起電力によって電力が発生するので、この電力をさまざまな装置の電源として、利用することも出来る。
又、単にダンパーやギアや摩擦力等を利用して、回転数を設定したり減速する場合は、減速によって生じたエネルギーは熱として消費されるが、本発明ではこのエネルギーを電力として利用できるので、省エネルギーにも繋がる。
【００１２】
また上記課題を解決する為に請求項２は、請求項１記載の流体噴出ノズルであって、前記発電部は、前記回転子と、前記固定子が、前記回転周方向に複数の磁極を有する様に構成したことを、特徴としている。
こうすれば、前記回転子の回転時に、前記回転子と前記固定子のいずれかを構成する電機子に対し、前記固定子との総体的な回転をもって、前記磁極の変化および、磁束の変化を確実に起すことが出来、前述した様に、前記電機子に接続した閉回路で、確実に前記起電力、前記電磁力を引き起こすことが出来る。
又、前記磁極を周方向に複数有することで、回転子の回転位置によらず、安定して前記電磁力を発生させることが出来き、前記噴出部の回転を安定して、制限させることが出来る。
従って、前記噴出部より噴出される流体の回転を安定して制限することが出来る。
【００１３】
また上記課題を解決する為に請求項３は、請求項１まはた請求項２記載の流体噴出ノズルであって、前記閉回路の途中に、インピーダンス値を変更する変更手段を設けたことを、特徴としている。
こうすれば、前記起電力により前記閉回路流れる電流の大きさを変更することが出来る。従って、この電流によって生じる前記発電部での電磁力の大きさも変化し、この電磁力による前記回転子および噴出部の回転の制限の度合いを、変化させて、該回転を制御することが出来る。
この場合、前記変更手段としては、単なるスイッチや、可変抵抗や、可変コンデンサ等が考えられる。
【００１４】
よって、本発明の流体噴出ノズルを用いれば、噴出する流体の流量を変化させることなく、前記回路のインピーダンス値を変更する変更手段を設けるだけの簡単な構造で、噴出する流体の回転数を自由に設定したり、変更可能とすることが出来る。
又、流体の通路を開閉したりする必要がなく、磁気を使って非接触で、自由に回転を設定できるので、信頼性の高い流体噴出ノズルを提供することが出来る。
さらには、給水圧や供給する流体の圧力や、電源確保や漏電対策といった問題が無く、使用環境に左右されずに用いることが出来る。
【００１５】
また上記課題を解決する為に請求項４は、請求項１ないし請求項３いずれか記載の流体噴出ノズルであって、前記噴出部は、前記先端部の前記噴出口に到る前記管路を、前記噴出部の回転軸に対して傾斜して有することを、特徴としている。
このような管路を有する噴出部を用いれば、前記管路傾斜によって決定される前記噴出口から噴出される流体の描く回転軌跡を、円錐状に拡大して、前記噴出部および前記回転子の回転軌道に対して、遥かに大きいものとすることが出来る。
【００１６】
従って、このような噴出部を用いて、前述した回転数制御を行えば、簡単な構造で、前記回転子および噴出部の回転制御によってなされる、前記噴出部から噴出される流体の回転数制御の効果を広範囲に及ぼすことが出来き、望ましい。
【００１７】
また上記課題を解決する為に請求項５は、請求項１ないし請求項３いずれか記載の流体噴出ノズルであって、前記噴出部は、前記先端部の前記噴出口に到る前記管路を、前記噴出部の回転軸に対して偏心して有することを、特徴としている。
このような管路を有する噴出部を用いれば、前記管路の偏心によって決定される前記噴出口から噴出される流体の描く回転軌跡を、円柱状の軌跡とすることが出来る。
【００１８】
従って、このような噴出部を用いて、前述した回転数制御を行えば、前記回転子および噴出部の回転制御によってなされる、前記噴出部から噴出される流体の回転数制御の効果を、前記円柱状の軌跡の回転数制御とすることが出来る。
【００１９】
また上記課題を解決する為に請求項６は、請求項１ないし請求項５いずれか記載の流体噴出ノズルであって、前記噴出部と前記回転子が一体で構成されていることを、特徴としている。
こうすれば、前記噴出部と前記回転子間での、前記室内部位が流れから受ける回転力や、前記回転子が前記固定子より受ける電磁力、の伝達をロスなく行うことが出来る。
従って、前記回転や回転制御を効率良く行うことが出来、無駄がない。又、前記噴出部と回転子とを、連結する機構やスペースも不要となり、装置の簡略化や小型化、低コスト化にも役立つ。又、噴出部と回転子とを一体で成形することも出来、製造コストも削減出来る。
【００２０】
また上記課題を解決する為に請求項７は、請求項１ないし請求項６いずれか記載の流体噴出ノズルであって、前記室内部位は、前記流入室内の流れを受ける羽根を有することを、特徴としている。
こうすれば、羽根が流体の流れを受けて回転し易くなるので、前記噴出部の回転を効率良く行うことが出来る。従って、前記噴出部の回転を高回転で行うことが可能となり、前述した発電部を用いた回転数制御と組み合わせることで、前記噴出部の回転を高回転から低回転まで幅広く設定、制御することが可能となる。
【００２１】
また上記課題を解決する為に請求項８は、請求項１ないし請求項７いずれか記載の流体噴出ノズルであって、前記流入室内に、前記噴出部もしくは前記回転子の回転を支持する支持部を設けて、前記回転を前記流入室の中心軸周りの自転としたことを、特徴としている。
こうすれば、前記噴出部および前記回転子の回転を、前記支持部で支持された、流入室中心軸まわりの自転とすることが出来、前記回転の中心軸が決まることで、回転が安定する。従って、回転が安定することで、前記回転の回転数を高めることが出来、先程の例と同様に、前述した発電部を用いた回転数制御と組み合わせることで、前記噴出部の回転を高回転から低回転まで幅広く設定、制御することが可能となる。
【００２２】
また上記課題を解決する為に請求項９は、請求項６記載の流体噴出ノズルであって、前記流入室への流体の流入を、前記流入室の周壁において前記流入室に偏心して流入させて、前記室内部位まわりの旋回流を起すように設け、前記室内部位が、前記流入室の中心軸に対して傾斜した姿勢で、前記中心軸周りに公転可能に構成ことを、特徴としている。
【００２３】
こうすれば、前記流入室で前記室内部位周りの旋回流を起こし、この旋回流は、前記室内部位周りの流速差を確実に引き起こすことが出来る。従って、前記室内部位に、この流速差に基づいて力を生じさせることが出来、この力によって、前記流入室内で前記室内部位を前記流入室中心軸に対して、傾斜させ、前記室内部位を回転させることが出来る。
この場合、この傾斜しようとする力は、飛行機の翼周りの速度差により発生する揚力と同質のものであり、この力により室内部位は傾斜する。又、室内部位が傾斜し始めると、傾斜した側での旋回流の速度がさらに増加し、前述した速度差は大きくなり、さらに大きな力が発生して、より傾斜しようとする。又、室内部位が傾斜することで、室内部位の側面にも流れを受けて、室内部位が旋回流の流れ方向に回転する。
【００２４】
又、前記室内部位は、前記流入室の中心軸に対して傾斜した姿勢で、前記中心軸周りに公転可能としていることから、前記噴出部は、前記室内部位が、前記流入室の中心軸に対して傾斜した姿勢で、前記中心軸周りに公転を行う。又、この場合であっても、例えば、前記噴出部は流れや前記流入室内壁への当接による摩擦力によって、自由に自転することが出来る。
【００２５】
又、前記噴出部と前記回転子は一体で構成されているので、前記公転に伴い前記回転子も自転と公転を行う。この場合、回転子は前述した例と同様に、前記発電部および前記閉回路によって、公転や自転が制限されるが、特に次の様な利点がある。
回転子が自転することによる回転数の制限については、前述した通りである。
又、回転子が公転する場合であっても、前記固定子と前記回転子の相対的な位置は、前記公転に合わせて変化する。従って、前記固定子または前記回転子のいずれかを構成する磁石によって形成される磁束の中で、前記電機子を回転させることが出来、前述した例と同様に、前記回転子および前記揺動部の回転を制御することが出来る。
さらに、前記固定子は流入開始前は傾斜しておらず、前記固定子と前記回転子との距離は離れており、公転と共に傾斜して前記固定子との距離が近づく。従って、前記回転がおこる初期と回転した後とでは、前記回転子と前記固定子との距離を、離した状態から、近づけた状態にすることが出来る。又、前記電磁力は、この距離によって変わり、距離が離れている程小さくなる。従って、回転力が小さい前記公転初期で、この電磁力が小さく出来、公転を安定させることが出来る。
従って、電磁力を強めて、回転数を極端に落とす場合であっても、回転初期の電磁力を小さく出来るので、回転数を小さく、且つ安定して回転させることが出来る。
【００２６】
また上記課題を解決する為に請求項１０は、請求項９記載の流体噴出ノズルであって、前記先端部位を把持する、可撓性を有する把持体を有し、該把持体で前記流入室を閉鎖することを、特徴としている。
こうすれば、前記把持体が可撓性を有して変形し、前記公転を行いつつ、上記したような噴出部の自転が起きないようにすることが出来る。
従って、前記公転のみによる回転数制御を行うことが出来、前述した、回転初期での電磁力を小さくして、回転数を小さく、且つ安定して回転させることが出来る。
さらに、前記把持体で前記先端部位を把持して、前記流入室を密閉しているので、前記噴出部が公転をしても、隙間が発生せず、前記噴出口以外から漏れ出す流体が無い。よって、前記流体の力を効率良く、噴出部に伝えることが出来、噴出部の回転数を上げることが出来、前述した発電部を用いた回転数制御と組み合わせることで、前記噴出部の回転を高回転から低回転まで幅広く設定、制御することが可能となる。
又、上記した把持体は、ＮＢＲやＥＰＤＭ，フッ素ゴム等の合成ゴムや、ポリエステル系、ポリオレフィン系もしくはポリスチレン系といった熱可塑性エラストマーで製造することが出来、使用環境や温度、湿度といった条件で選定すれば良い。
【００２７】
また上記課題を解決する為に請求項１１は、請求項９または請求項１０記載の流体噴出ノズルであって、前記噴出部に当接し、前記噴出部の傾斜角度を規制するガイド部を設けたことを、特徴としている。
こうすれば、前記公転の最大傾斜角度を確実に規制することが出来る。従って、この最大傾斜角度によって決まる、前記回転子と前記固定子との距離も、確実に規制することが出来、安定して前記電磁力を発生させることが出来る。
よって、安定して前記噴出部の回転を制御することが出来る。
【００２８】
また上記課題を解決する為に請求項１２は、請求項１ないし請求項１１いずれか記載の流体噴出ノズルと、前記発電部に電気的に接続された発光部と、を有することを特徴としている。
こうすれば、商用電源や電池を用いることなく、前記発電部と前記閉回路で発生した電流を無駄無く利用して、前記発光部を発光させることが出来る。
この発光部の発光を利用したものとしては、流体噴出を知らせる発光に利用したり、前記電機子から発生する信号を利用して、回転数によって発光させたり、流体の噴出部に向かって発光させて流体の噴出の到着の目安としたり、単に照明や装飾として、利用することが出来る。
【００２９】
また上記課題を解決する為に請求項１３は、請求項１２記載の流体噴出ノズルであって、前記発光部を複数色ＬＥＤで構成すると共に、前記発光部に電気的に接続され、噴出する流体の温度を検知する温度検知部を設け、該温度検知部で検出した信号によって、前記複数色ＬＥＤの発光色を制御する制御部を設けたことを特徴としている。
こうすれば、前記発電部で発生した電力を利用して、前記温度検知部によって、噴出流体の温度を検出することが出来る。又、前記制御部は、この検出した信号によって、前記複数色ＬＥＤの発光を制御できるので、噴出する流体の温度によって、発光する色を変化させることが出来る。
このような、流体噴出ノズルを利用すれば、電源や電池を用いることなく、噴出する流体の温度を知ることが出来る。
この場合、複数色ＬＥＤは、単色のＬＥＤを組み合せても良いし、３色ＬＥＤを用いても良い。又、ＬＥＤに限らずレイザーダイオード等も使用することが出来る。
【００３０】
また上記課題を解決する為に請求項１４は、請求項１ないし請求項１３いずれか記載の流体噴出ノズルと、前記発電部の出力信号により、前記噴出口より噴出する流体の流れの状態を検出する、流れ検出部と、該流れ情報を表示する表示部と、を有することを特徴とする流体噴出装置。
こうすれば、前記流れ検出部によって検出した、さまざまな情報を、前記表示部に表示することが出来る。
この場合、検出する流れの状態とは、前記発電部からの情報に基づくものであり、例えば、前記回転子の回転数であったり、この回転数に予め照らし合わた噴出流体の流量等が考えられる。
従って、電源や電池を用いることなく、これらの情報を知ることが出来る。
【００３１】
また上記課題を解決する為に請求項１５は、人体を検出する検出部と、吐水する洗浄水の流路の開閉を行う開閉弁と、を有する自動水栓であって、請求項１ないし請求項１４いずれか記載の流体噴出ノズルを有し、前記噴出口より人体に向けて洗浄水を吐水するように、前記自動水栓内に組み込むとともに、前記発電部で発生した電力を充電する充電部を備えた自動水栓であることを、特徴としている。
こうすれば、前記流体噴出ノズルによる回転吐水を用いた、節水、刺激向上効果を発揮しつつ、前述した発電部で発生した電力を前記充電部に貯えることが出来るので、前記検出部や前記開閉弁をこの充電部に貯えた電力で、駆動することが出来る。従って、電源工事や、電池交換が不要となり、便利である。
【００３２】
また上記課題を解決する為に請求項１６は、給水された洗浄水を人体に向けて吐水するシャワー装置であって、請求項１ないし請求項１４いずれか記載の流体噴出ノズルを有し、前記噴出口から人体に向けて洗浄水を吐水するようシャワーヘッドに組み込んだことを特徴としている。
こうすれば、前記流体噴出ノズルによる回転吐水を用いた、節水、刺激向上、マッサージ効果を発揮することが出来る。この場合、吐水の回転数を自由に設定出来るので、回転数を落として刺激感やマッサージ感を増加させたり、回転数を上げて刺激感をソフトしたり出来るほか、使用者が回転数を自由に変更できるので、好みの回転数を自由に選べて好ましい。又、この場合であっても、電源や電池を用いる必要がなく、浴室内で用いるのに適している。
【００３３】
また上記課題を解決する為に請求項１７は、便器後部に設けられ、人体局部に向かって洗浄水を吐水して局部の洗浄を行う人体局部洗浄装置であって、請求項１ないし請求項１４いずれか記載の流体噴出ノズルを有し、前記噴出口より洗浄水を人体局部に向かって噴出することを特徴としている。
こうすれば、前記流体噴出ノズルによる回転吐水を用いた、節水、刺激向上、マッサージによる便意促進効果を発揮することが出来る。この場合も、吐水の回転数を自由に設定出来るので、回転数を落として刺激感やマッサージ感を増加させたり、回転数を上げて刺激感をソフトしたり出来るほか、使用者が回転数を自由に変更できるので、好みの回転数を自由に選べて好ましい。
又、この場合であっても、電源や電池を用いる必要がなく、便器内に進出して吐水を行う人体局部洗浄装置のノズルに適している。
【００３４】
また上記課題を解決する為に請求項１８は、高速の流体を噴出して、人体の乾燥を行う乾燥装置であって、請求項１ないし請求項１４いずれか記載の流体噴出ノズルと、流体を発生させる流体発生装置と、前記流体を加熱する加熱手段と、を有し、前記流体発生装置で発生した流体を、前記加熱手段で加熱して、前記噴出口より噴出することを、特徴としている。
こうすれば、前記流体噴出ノズルによる回転噴射を用いて、高速の流体を広範囲に及ぼすことが出来、乾燥効率の増加効果が期待出来る。
【００３５】
【発明の実施の形態】
次に、本発明の実施の形態を図面を用いて説明する。
図１、図２、図３は本発明の流体噴出ノズル１を説明しており、図１は本発明の流体噴出ノズル１を縦断面視して説明した図であり、図２は図１をＡＡ断面視して説明した図であり、図３は図１をＢＢ断面視して説明した図である。又、図４は本発明の流体噴出ノズルに用いる噴出体１０の詳細を説明した図である。
図示するように、流体噴出ノズル１は、流体が流入する流入室として円筒状に形成された旋回室５を備え、この旋回室５の中心に偏心して接続された旋回室流入路６、流路７を経て、流体を前記旋回室５に供給する構成になっている。
又、前記旋回室流入路６は前記流路７より通路面積が小さく構成されている。
よって、旋回室流入路６からの流体は、旋回室５に対してその接線方向から流入し、旋回室５内壁に沿って旋回する旋回流を生成する。
この場合、前記旋回室流入路６の通路面積は前記流路７より小さいことから、旋回室５に流入する流体の流速を高めることができる。
【００３６】
又、流体噴出ノズル１は、この旋回室５に噴出体１０を組み込んで備える。噴出体１０は、流体の噴出口２を備えた先端部位８と、この先端部位８に連続した前記旋回室５内の流体の流れを受ける羽根１１を有する。この羽根１１は旋回室５内に位置して上記の旋回流から流れの運動エネルギーを受け、噴出体の回転に関与する。
又、噴出口２は、該噴出口２に流体を供給して、噴出する流体の方向を決める、管路３を有し、該管路３は、噴出体１０の中心軸に対して傾斜して設けられている。こうした構成の噴出体１０による流体噴出の様子については、後述する。
【００３７】
又、噴射体１０は、前記噴出口２が設けられた前記先端部位８の端面を、球面状として備え、前記旋回室５の上部に開口した開口部４に内接させた状態で、前記旋回室５内に挿入・支持されているので、前記噴出体１０は、旋回室５内部で噴出体１０自身が中心軸を中心に回転する自転が自在に行なえるようになっている。
【００３８】
旋回室５の下流壁は、図示するように噴出体１０の先端部位８の側で小径とされたガイド部９とされている。このガイド部９は、噴出体１０の傾斜を規制し、噴出体１０の前記公転を確実なものとしている。
【００３９】
又、前記噴出体の下部には、ブラシレスモータ方式を採用した、小型発電機と同じ原理の発電部２０が設けられている。発電部２０は、回転子３０と、回転子３０の外周側に配置された非磁性のステンレス製のカップ２７と、このカップ２７のさらに外周に配置され、固定されたブラシレスモータの固定子２８とで構成されている。
【００４０】
又、前記カップ２７は、カップの内側で形成される空間に、前記回転子３０を備えて、前記旋回室５を密閉している。
又、前記回転子３０と前記噴出体１０とは、キー溝状の連結部３１を介して、一体で前記回転が可能な様に、連結されており、さらに前記回転子３０の下部を該連結部３１と同軸上に設けた軸受２４で保持して、前記噴出体１０と前記回転子３０が一体となって前記噴出体１０および前記回転子３０の中心軸まわりに回転する自転が自在に行える様になっている。
【００４１】
又、前記回転子３０は、ブラシレスモータのロータ部となっており、前記回転子３０の側面を磁石２５で構成し、２極着磁がなされている。そして、この側面の磁石２５が、カップ２７を介して、前記固定子２８に対向配置されている。この為、回転子３０は、前記噴出体１０と共に回転する際、固定子２８に対して相対回転するようになっている。
【００４２】
又、固定子２８は、図３に示す様に、周方向に等分配置された３つのコイル部２９で構成されている。各コイル部は、それぞれヨーク２２と、このヨーク２２に巻かれたコイル２１とを備えている。コイル２１の巻き始め部分及び巻き終わり部分は、それぞれ端子２６に接続されている。
【００４３】
この様に構成された前記発電部２０には、前記固定子２８の極となる前記ヨーク２２と、前記磁石２５との間には磁束が流れている。
上述した様に噴射体１０と共に回転子３０が回転すると、この磁束の流れに変化が生じ、この流れの変化を防止する方向にコイル２１に誘導起電圧が発生する。この誘導起電圧は、端子２６から取出すことが出来る。
【００４４】
図５は、本発明の流体噴出ノズル１に接続される回路を示している。
このような形で取出された誘導起電圧は、図５に示す様な回路により直流に変換される。それは、出力コイルが３相のＹ結線とされた発電部２０によって誘起された交流電圧は、６個のダイオード３５と１個の平滑コンデンサ３９からなる３相ブリッジ回路３８を通して整流され直流に変換される。又、回路には、可変抵抗器３７が設けられており、該可変抵抗器３７の抵抗値を変えることで、回路に流れる電流を可変出来る様に構成してある。
【００４５】
なお、固定子２８は、上述した様に３つのコイル部２９から構成され３極を有するものとなっている。一方、この固定子２８に対向配置された回転子３０は、上述した様に２極着磁となっている。すなわち、本実施例では、ブラシレスモータ方式となっており、回転子３０の極数と固定子２８の極数との関係が、２−３となっている。この為、ディテントトルクが大きくならず、少ない力で回転できる様に構成してある。尚、この極数の関係は、２−３に限った物では無く、例えば、４−３や４−６と種々の物ととることが出来る。
又、本実施例の様に、ブラシレスモータの方式でなくても、１層や２層のステッピングモータ方式を取っても良い。
【００４６】
次に、この様な構成の流体噴出ノズル１に流体を供給して、噴出させた場合について説明する。
図６は、本発明の流体噴出ノズル１から流体を噴出する様子を説明する図である。
流体噴出ノズル１に供給された流体は、前述した様に、旋回室５内で旋回流を形成し、前記噴出体１０に設けた羽根１１に流れのエネルギーを与えて、噴出体１０を自転させる。又、噴出体１０には、流体の噴出方向を決める管路３が、前記自転軸に対して傾斜して設けられているので、前記噴出口２より噴出される流体は、前記噴出体が自転していることで、噴出口２を頂点とした円錐状に拡大した軌跡をとり、全体として螺旋状に繋がった軌跡となる。この螺旋状態は、前記噴出体１０の自転回転数によって決まる。
【００４７】
又、前記噴出体１０には、前述した発電部２０と３相ブリッジ回路３８連結されており、噴出体１０の自転に伴い、前記回転子３０が回転し、前記磁石２５と前記コイル２１との相対的な回転によって、前述した磁束変化が発生し、前記回路に誘導起電圧が発生する。この誘導器電圧によって、前記回路には電流が流れるが、この電流によって、前記発電部２０に、前記回転子３０の回転を妨げる向きに電磁力が発生する。この電磁力は、前記回転子３０に対して、電磁ブレーキの如く作用し、前記回転子３０および前記噴出体１０の回転すなわち自転を制限し、減速する。
よって、この様に回転子３０の回転が制限されると、前記回転子３０が連結された噴出体１０の回転も制限され、前記流体の回転軌跡も、制限され、減速する。
【００４８】
又、前記３相ブリッジ回路３８には、可変抵抗器３７が設けられており、回路に流れる電流を可変出来る様にしてある。従って、この可変抵抗器３７の抵抗値を調整することで、前述した噴出流体の回転軌跡の状態を変えることが出来る。
例えば、前記可変抵抗器３７の抵抗値を大きくすることで、図６（ａ）に示す様に、回路に流れる電流を制限し、前記電磁力を小さくして前記噴出流体の回転を妨げ無い様にしたり、逆に、抵抗値を小さくすることで、図６（ｂ）に示す様に、回路に流れる電流を大きくし、前記電磁力を大きくして前記噴出流体の回転を大きく制限・減速することも出来る。
ここで、前記回路に発生した電力は、さまざまな装置の電源として、直接利用したり充電して利用したりすることも出来る。
【００４９】
次に、また別の変形例について説明する。この変形例は、噴出体を首振り公転させている点に特徴がある。
図７、図８、図９は本発明の流体噴出ノズル４１を説明しており、図７は本発明の流体噴出ノズル４１を縦断面視して説明した図であり、図８は図７をＡＡ断面視して説明した図であり、図９は図７をＢＢ断面視して説明した図である。又、図１０は本発明の流体噴出ノズル４１に用いる噴出体５０の詳細を説明した図である。
図示するように、流体噴出ノズル４１は、流体が流入する流入室として円筒状に形成された旋回室４５を備え、この旋回室４５の中心に偏心して接続された流路４７、旋回室流入路４６を経て、流体を前記旋回室４５に供給する構成になっている。
又、前記旋回室流入路４６は前記流路４７より通路面積が小さく構成されている。
よって、旋回室流入路４６からの流体は、旋回室４５に対してその接線方向から流入し、旋回室４５内壁に沿って旋回する旋回流を生成する。
この場合、前記旋回室流入路４６の通路面積は前記流路４７より小さいことから、旋回室４５に流入する流体の流速を高めることができる。
【００５０】
又、流体噴出ノズル４１は、この旋回室４５に噴出体５０を組み込んで備える。噴出体５０は、流体の噴出口５２を備えた先端部位５８と、この先端部位５８に連続した前記旋回室５内の流体の流れを受ける室内部位５９を有する。
こうすれば、前記旋回室４５で前記室内部位５９周りの旋回流を起こし、この旋回流は、前記室内部位５９周りの流速差を確実に引き起こすことが出来る。従って、前記室内部位５９に、この流速差に基づいて力を生じさせることが出来、この力によって、前記旋回室４５内で前記室内部位５９を前記旋回室４５中心軸に対して、傾斜させ、前記室内部位５９を回転させることが出来る。
【００５１】
この場合、この傾斜しようとする力は、飛行機の翼周りの速度差により発生する揚力と同質のものであり、この力により室内部位５９は傾斜する。又、室内部位５９が傾斜し始めると、傾斜した側での旋回流の速度がさらに増加し、前述した速度差は大きくなり、さらに大きな力が発生して、より傾斜しようとする。又、室内部位５９が傾斜することで、室内部位５９の側面にも流れを受けて、室内部位５９が旋回流の流れ方向に回転する。
【００５２】
又、噴出体５０は、前記噴出口５２が設けられた小径の前記先端部位５８と、前記大径の室内部位５９との段差部を、テーパ状もしくは球面状として備え、前記旋回室４５の上部に開口した開口部４４端面に内接させた状態で、前記旋回室４５内に挿入・支持されているので、前記噴出体５０は、旋回室４５内部で噴出体５０自身が中心軸を中心に回転する自転が自在に行なえるようになっている。
又、前記噴出体５０は、前記旋回室４５への流体の流入によって、前記先端部位５８の少なくとも一部を前記旋回室４５内壁に当接するので、この当接した部分を頂点として、前記傾斜、および回転を行うことが出来る。
【００５３】
又、前記室内部位５９は、前記旋回室４５の中心軸に対して傾斜した姿勢で、前記中心軸周りに公転可能としていることから、噴出体５０の回転は、室内部位５９が、前記旋回室４５の中心軸に対して傾斜した姿勢での、前記中心軸周りの公転となる。
又、この公転によって、前記噴出体５０は流れや前記流入室内壁への当接による摩擦力によって、自由に自転を行う。
又、旋回室４５の下流壁は、図示するように噴出体５０の先端部位５８の側で小径とされたガイド部４８とされている。このガイド部４８は、噴出体５０の傾斜を規制し、噴出体５０の前記公転を確実なものとしている。
又、前記室内部位５９の側面は、前記回転子３０と同様に磁石２５で構成されており、２極着磁がなされている。
【００５４】
又、前記噴出体５０の下部には、前述した実施例と同様に、ブラシレスモータ方式を採用した、小型発電機と同じ原理の発電部４０が設けられている。発電部４０は、回転子として前記噴出体５０と、噴出体５０の外周側に配置された非磁性のステンレス製のカップ２７と、このカップ２７のさらに外周に配置され、固定されたブラシレスモータの固定子２８とで構成されている。
【００５５】
又、前記カップ２７は、カップの内側で形成される空間に、前記噴出体５０を備えて、前記旋回室４５を密閉している。又、前記噴出体５０に設けた磁石２５は、ブラシレスモータのロータ部となっており、カップ２７を介して、前記固定子２８に対向配置されている。この為、磁石２５は、前記噴出体５０と共に回転すなわち公転する際、固定子２８に対して相対回転するようになっている。
【００５６】
又、固定子２８は、前述した実施例と同様に、周方向に等分配置された３つのコイル部２９で構成されている。各コイル部は、それぞれヨーク２２と、このヨーク２２に巻かれたコイル２１とを備えている。コイル２１の巻き始め部分及び巻き終わり部分は、それぞれ端子２６に接続されている。
この様に構成された前記発電部４０には、前記固定子２８の極となる前記ヨーク２２と、前記磁石２５との間には磁束が流れている。
従って、上述した様に噴射体５０が公転すると、噴射体５０に設けた磁石２５も公転し、この磁束の流れに変化が生じ、この磁束の変化を防止する方向にコイル２１に誘導起電圧が発生する。この誘導起電圧は、端子２６から取出すことが出来る。
【００５７】
又、前記噴出体５０は、前記公転に伴い自転も行うが、この場合、噴出体の公転は前述した例と同様に、前記発電部および前記閉回路によって、公転や自転が制限されるが、特に次の様な利点がある。
回転子すなわち噴出体５０が自転することによる回転数の制限については、前述した例と同様である。
又、回転子すなわち噴出体５０が公転する場合であっても、前記固定子２８と前記磁石２５の相対的な位置は、前記公転に合わせて変化する。従って、前記磁石２５と前記固定子２８とによって形成される磁束の中で、前記磁石２５を公転させることが出来、この公転によって、前記固定子に磁束の変化を生じさせて、前記磁石および前記噴出体の回転を制御することが出来る。
【００５８】
さらに、前記噴出体５０および磁石２５は、旋回室４５への流体の流入開始前は傾斜しておらず、前記噴出体５０および磁石２５と、前記固定子２８との距離は離れており、公転と共に傾斜して、前記距離が小さくなる。従って、前記公転がおこる初期と公転を開始した後とでは、前記磁石２５と前記固定子２８との距離を、離した状態から、近づけた状態にすることが出来る。又、前記電磁力は、この距離によって変わり、距離が離れている程小さくなる。従って、流体の流れから受ける回転力が小さい前記公転初期で、この電磁力が小さく出来、少ない流量で公転を安定させることが出来る。
従って、電磁力を強めて、回転数を極端に落とす場合であっても、回転初期の電磁力を小さく出来るので、回転数を小さく、且つ安定して回転させることが出来る。
【００５９】
次に、この様な構成の流体噴出ノズル１に流体を供給して、噴出させた場合について説明する。
図１１は、本発明の流体噴出ノズル４１から流体を噴出する様子を説明する図である。
流体噴出ノズル４１に供給された流体は、前述した様に、旋回室４５内で旋回流を形成し、前記室内部位５９に前述した力を与えて、噴出体５０を公転および自転させる。従って、前記噴出口５２より噴出される流体は、前記噴出体が公転していることで、噴出口５２を頂点とした円錐状に拡大した軌跡をとり、全体として螺旋状に繋がった軌跡となる。この螺旋状態は、前記噴出体５０の公転回転数によって決まる。
【００６０】
又、前述した例と同様に、前記発電部４０には図示しない回路、例えば図５に示した様な３相ブリッジ回路３８および可変抵抗器３７を接続すれば、前述した噴出流体の回転軌跡の状態を変えることが出来る。こうすれば、例えば、前記可変抵抗器３７の抵抗値を大きくすることで、図１１（ａ）に示す様に、回路に流れる電流を制限し、前記電磁力を小さくして前記噴出流体の回転を妨げ無い様にしたり、逆に、抵抗値を小さくすることで、図１１（ｂ）に示す様に、回路に流れる電流を大きくし、前記電磁力を大きくして前記噴出流体の回転を大きく制限・減速することも出来る。
ここで、前記回路に発生した電力は、さまざまな装置の電源として、直接利用したり充電して利用したりすることも出来る。
【００６１】
次に、また別の変形例について説明する。この変形例は、噴出体を首振り公転させた上で、前記磁石と固定子の位置を入れ替えた点と、噴出体を可撓性を有する把持体で把持する点に特徴がある。
図１２、図１３、図１４は本発明の流体噴出ノズル６１を説明しており、図１２は本発明の流体噴出ノズル６１を縦断面視して説明した図であり、図１３は図１２をＡＡ断面視して説明した図であり、図１４は図１２をＢＢ断面視して説明した図である。又、図１５は本発明の流体噴出ノズル６１に用いる把持体９０の詳細を説明した図であり、図１６は本発明の流体噴出ノズル６１に用いる噴出体７０の詳細を説明した図である。
【００６２】
図示するように、流体噴出ノズル６１は、流体が流入する流入室として円筒状に形成された旋回室６５を備え、この旋回室６５の中心に偏心して接続された流路６７、旋回室流入路６６を経て、流体を前記旋回室６５に供給する構成になっている。又、前記旋回室流入路６６は前記流路６７より通路面積が小さく構成されている。よって、旋回室流入路６６からの流体は、旋回室６５に対してその接線方向から流入し、旋回室６５内壁に沿って旋回する旋回流を生成する。
この場合、前記旋回室流入路６６の通路面積は前記流路６７より小さいことから、旋回室６５に流入する流体の流速を高めることができる。
【００６３】
又、流体噴出ノズル６１は、この旋回室６５に噴出体７０を組み込んで備える。噴出体７０は、流体の噴出口７２を備えた先端部位７８と、この先端部位７８に連続した前記旋回室６５内の流体の流れを受ける室内部位７９を有する。
こうすれば、前記旋回室６５で前記室内部位７９周りの旋回流を起こし、この旋回流は、前記室内部位７９周りの流速差を確実に引き起こすことが出来る。従って、前記室内部位７９に、この流速差に基づいて力を生じさせることが出来、この力によって、前記旋回室６５内で前記室内部位７９を前記旋回室６５中心軸に対して、傾斜させ、前記室内部位７９を回転させることが出来る。
【００６４】
この場合、この傾斜しようとする力は、飛行機の翼周りの速度差により発生する揚力と同質のものであり、この力により室内部位７９は傾斜する。又、室内部位７９が傾斜し始めると、傾斜した側での旋回流の速度がさらに増加し、前述した速度差は大きくなり、さらに大きな力が発生して、より傾斜しようとする。又、室内部位７９が傾斜することで、室内部位７９の側面にも流れを受けて、室内部位７９が旋回流の流れ方向に回転する。
【００６５】
又、流体噴出ノズル７０は、前記噴出口７２が設けられた小径の前記先端部位７８で支持する可撓性を有するの把持体９０を有する。  又、把持体９０は、屈曲部９３の裾部分を厚肉の固定部９２としており、この固定部９２を把持体抑え９６で押さえつけて流体噴出ノズル６１に固定され、前記旋回室６５を密閉している。
また、把持体９０は、中央に筒状の把持部９５を備え、この把持部９５に噴出体７０の先端部位７８を嵌合させて、噴出体７０を支持しており、前記噴出体７０の自転を起さない様になっている。
又、前記噴出体７０は、この嵌合、把持した部分を頂点として、前記傾斜、および公転を行うことが出来る。
【００６６】
又、把持体９０は、合成ゴムや熱可塑性エラストマーで成形されており、薄肉の屈曲部９３を有することで容易に変形出来る。よって、噴出体７０は、把持体９０が容易に変形することで、前述した噴出体５０と同様、首振り公転可能とされている。なお、旋回室６５の天井側には、噴出体７０の傾きを規定するためのガイド部６９が設けられている。
又、前記旋回室６５の内壁は、磁石８５で構成されており、２極着磁がなされている。
【００６７】
又、前記噴出体７０の下部には、前述した実施例と同様に、ブラシレスモータ方式を採用した、小型発電機と同じ原理の発電部８８が設けられている。発電部８８は、回転子として前記噴出体７０に設けたコイル部８９と、旋回室６５壁面であって、前記コイル部８９に対向して配置した磁石８５とで構成されている。前記コイル部８９は、前述した例と同様に、ヨーク８２と、このヨーク８２に巻かれたコイル８１とを備えている。又、コイル８１の巻き始め部分及び巻き終わり部分は、前記噴出体に内臓された回路７４とＬＥＤ７３とに接続されている。
【００６８】
この様に構成された前記発電部８８には、前記回転子として設けたコイル部８９の極となる前記ヨーク８２と、前記磁石８５との間には磁束が流れている。
従って、上述した様に噴射体７０が公転すると、噴射体７０に設けたコイル部８９も公転し、この磁束の流れに変化が生じ、この磁束の変化を防止する方向にコイル８１に誘導起電圧が発生する。この誘導起電圧により発生した電流は、例えば、図５に示した様な回路７４を経て、ＬＥＤ７３へと供給することが出来る。
又、ＬＥＤ７３は、前記噴出口７２へと流体を導く管路７６に発光部を面して設けてある。
【００６９】
よって、この様な構成で前記噴出体７０が公転すると、前述した例と同様に、この公転によって、前記コイル部８９に磁束の変化を生じさせて、前記磁石および前記噴出体の回転を制御することが出来る。
又さらに、前記回転数を制御、減速した際に発生した電力によって、ＬＥＤ７３を発光させることが出来る。こうすれば、前記管路７６を通過して噴出する流体を発光させて噴出させることが出来る。
図１７は本発明の流体噴出ノズル６１を用いて流体を噴出した場合を説明している。この様な流体噴出ノズル６１を用いて、水や空気を噴出すれば、噴出する流体の回転数を制御、減速した上で、水や空気を発光させて噴出させることが出来、後述する様なノズルとして利用すれば、外観性、使い勝手、装置の小型化等、さまざまなメリットがある。
【００７０】
次に、これらの流体噴出ノズル１、４１、６１を用いた、具体的な実施形態について説明する。
図１８は本発明の流体噴出ノズル４１を、シャワーヘッドに組み込んで用いた場合の実施例を説明する図である。
図示する様に、シャワーヘッド１１０は、内部に流体噴出ノズル４１を複数備え、図示しない３相ブリッジ回路３８、可変抵抗器３７を備えている。又、可変抵抗器３７の可変ダイヤルは、ダイヤル１１２の回転に連動して、抵抗値が変更できる様に設けてある。
この様な構成のシャワーヘッド１１０を用いれば、洗浄水を円錐状の螺旋を描きながら吐水することが出来、マッサージ効果や、高い洗浄効果、節水効果を発揮することが出来る。しかも、この吐水の軌跡は、前述した様に発電部４０および前記回路を用いて減速させることが出来る。
従って、通常この様に水流を用いて吐水を回転させる場合に比べて、遥かに小さい回転数で吐水を回転させることが出来、数十〜数Ｈｚ程度で回転させることが出来る。
【００７１】
よって、このような小さい回転数の吐水を用いれば、高速で回転させた場合に比べて、高い洗浄力やマッサージ効果を発揮することが出来る。又、前記ダイヤル１１２で吐水の回転数を自由に設定変更できるので、使用者が自由に好みや目的に応じた回転数の吐水を利用することが出来る。
又、この様な回転数の制御を行う場合であっても、特別に電池や電源を必要としないので、湿度が高い浴室内での使用に適している。
【００７２】
次に、本発明の流体噴出ノズル４１を自動水栓に組み込んで用いた場合の実施例を説明する図である。
図示する様に、自動水栓１２０は、内部に流体噴出ノズル４１を備え、図示しない３相ブリッジ回路を有する制御部１２３と、給水された洗浄水の流路の開閉を行う電磁弁１２１と、人体を検知する検出部１２４と、前記流体噴出ノズル４１で発生した電力を貯える充電部１２２を備えている。
この様な構成では、前記流体噴出ノズル４１で発生した電力を前記充電部１２２で貯えて、前記電磁弁１２１や前記検出部１２４を駆動することが出来る。従って、この様な構成の自動水栓１２０を用いれば、特別に電池や電源を確保する必要が無く、設置場所を問わない。又、電池交換などの必要も無く、メンテナンス性にも優れる。
又この場合、吐水の回転数を制限・減速しているが、この様に、単に手洗いなどに用いる場合、低速で回転させて吐水を行っても、使用に特別な問題は無く、逆に高速で回転させないので、振動や騒音が発生せずに好ましい。
【００７３】
次に、本発明の流体噴出ノズル６１を手乾燥装置に組み込んで用いた場合の実施例を説明する図である。
図示する様に、手乾燥装置１３０は、内部に流体噴出ノズル６１を備え、この流体噴出ノズル６１に高速の気流を供給する気流発生装置１３１と、前記流体噴出ノズル６１と前記気流発生装置１３１との間にあって気流を加熱する加熱手段１３２とを備えている。
この様な構成では、前記気流発生装置１３１で発生し、前記加熱手段１３２で加熱した気流を、前記流体噴出ノズル６１から高速気流として噴出させることが出来る。しかも、この気流は、前記流体噴出ノズル６１によって、円錐状に拡大した軌跡を辿って噴出される。従って、手を乾燥するにあたって、使用者が手を擦ったり移動させなくても、手に付着した水滴を、滞留させることなく、効率良く吹飛ばすことが出来る。さらに、流体噴出ノズル６１は前述した通り、回転が制限・減速されているので、高速に回転して噴出した場合に比べて、高速気流が拡散せず、水滴を吹飛ばすのに都合が良い。しかも、気流発生装置１３１は、ＬＥＤ７３を内臓し、気流を噴出する方向を確実に照らすことが出来る。従って、使用者が、気流が噴出される場所を認識することが容易になり、好ましい。
【００７４】
以上本発明の実施例について説明したが、本実施例で示したインナーローター方式以外にも、アウターローター方式とすることも出来る。又、本発明は以上の実施例や実施形態になんら限定されるものではなく、本発明の要旨を逸脱しない範囲において種々なる態様で実施し得ることは勿論である。
【図面の簡単な説明】
【図１】  本発明の流体噴出ノズル１を縦断面視して説明した図である。
【図２】  図１における流体噴出ノズル１をＡＡ断面視して説明した図である。
【図３】  図１における流体噴出ノズル１をＢＢ断面視して説明した図である。
【図４】  噴出体１０を縦断面視して、説明した図である。
【図５】  本発明に用いる回路の実施例を説明した図である。
【図６】  流体噴出ノズル１が流体を噴出する様子を説明した説明図であり、図６（ａ）は可変抵抗器の抵抗値を大きく設定した場合の説明図であり、図６（ｂ）は可変抵抗器の抵抗値を小さく設定した場合の説明図である。
【図７】  本発明の流体噴出ノズル４１を縦断面視して説明した図である。
【図８】  図７における流体噴出ノズル４１をＡＡ断面視して説明した図である。
【図９】  図７における流体噴出ノズル４１をＢＢ断面視して説明した図である。
【図１０】  噴出体５０を縦断面視して、説明した図である。
【図１１】  流体噴出ノズル４１が流体を噴出する様子を説明した説明図であり、図１１（ａ）は可変抵抗器の抵抗値を大きく設定した場合の説明図であり、図１１（ｂ）は可変抵抗器の抵抗値を小さく設定した場合の説明図である。
【図１２】  本発明の流体噴出ノズル６１を縦断面視して説明した図である。
【図１３】  図１２における流体噴出ノズル６１をＡＡ断面視して説明した図である。
【図１４】  図１２における流体噴出ノズル６１をＢＢ断面視して説明した図である。
【図１５】  把持体９０を縦断面視して、説明した図である。
【図１６】  噴出体７０を縦断面視して、説明した図である。
【図１７】  流体噴出ノズル６１が流体を噴出する様子を説明した説明図である。
【図１８】  流体噴出ノズル４１をシャワーヘッド１１０に組み込んで用いた様子を説明した図である。
【図１９】  流体噴出ノズル４１を自動水栓１２０に組み込んで用いた様子を説明した図である。
【図２０】  流体噴出ノズル６１を手乾燥装置１３０に組み込んで用いた様子を説明した図である。
【符号の説明】
１…流体噴出ノズル
２…噴出口
３…管路
４…開口部
５…旋回室
６…旋回室流入路
７…流路
８…先端部位
９…ガイド部
１０…噴出体
１１…羽根
２０…発電部
２１…コイル
２２…ヨーク
２３…ボビン
２４…軸受
２５…磁石
２６…端子
２７…カップ
２８…固定子
２９…コイル部
３０…回転子
３１…連結部
３５…ダイオード
３７…可変抵抗器
３８…３相ブリッジ回路
３９…コンデンサ
４０…発電部
４１…流体噴出ノズル
４５…旋回室
４６…旋回室流入路
４７…流路
５０…噴出体
５２…噴出口
５３…管路
５８…先端部位
５９…室内部位
６１…流体噴出ノズル
６５…旋回室
６６…旋回室流入路
６７…流路
６９…ガイド部
７０…噴出体
７２…噴出口
７３…ＬＥＤ
７４…回路
７６…管路
７８…先端部位
７９…室内部位
８１…コイル
８２…ヨーク
８５…磁石
８８…発電部
８９…コイル部
９０…把持体
９２…固定部
９３…屈曲部
９５…把持部
９６…把持体抑え
１１０…シャワーヘッド
１１２…ダイヤル
１２０…自動水栓
１２１…電磁弁
１２２…充電部
１２３…制御部
１２４…検出部
１３０…手乾燥装置
１３１…気流発生装置
１３２…加熱手段
【図１】
0003922059.tif 000002
【図２】
0003922059.tif 000003
【図３】
0003922059.tif 000004
【図４】
0003922059.tif 000005
【図５】
0003922059.tif 000006
【図６】
0003922059.tif 000007
【図７】
0003922059.tif 000008
【図８】
0003922059.tif 000009
【図９】
0003922059.tif 000010
【図１０】
0003922059.tif 000011
【図１１】
0003922059.tif 000012
【図１２】
0003922059.tif 000013
【図１３】
0003922059.tif 000014
【図１４】
0003922059.tif 000015
【図１５】
0003922059.tif 000016
【図１６】
0003922059.tif 000017
【図１７】
0003922059.tif 000018
【図１８】
0003922059.tif 000019
【図１９】
0003922059.tif 000020
【図２０】
0003922059.tif 000021